(57)【要約】 【課題】  本発明は、１枚のクリアファイルから大小数種のクリアファイルが得られるようにすることを課題にしている。【解決手段】  本発明は、Ａ４版の大きさに対応したクリアファイルに大小数種のクリアファイルを得ることのできる縦横の切れ目を設け、各切れ目より切り抜くことで大小数種のクリアファイルが得られるようにして課題を解決する。【選択図】図２
2017030213.tif 000002
【特許請求の範囲】
【請求項１】
クリアファイルの表裏のシートに縦横の切れ目を数段において設け、各切れ目より切り抜くことで大小数種のクリアファイルを切り抜き形成することができるようにしたことを特徴とする多目的クリアファイル。
【請求項２】
大小数種のクリアファイルははがきの大きさに対応したはがき収容型と収入印紙・切手の収容型を含む請求項１に記載の多目的クリアファイル。
【請求項３】
縦横数段の切れ目はそれぞれの中間に文字，図形等の記入枠を形成するための迂回部を設ける請求項１または２に記載の多目的クリアファイル。
【請求項４】
クリアファイルの縦折目と横折目の内側に折り罫を入れてクリアファイルをマチ付きとする請求項１乃至３のいずれかに記載の多目的クリアファイル。
【発明の詳細な説明】
【技術分野】
【０００１】
この考案は多目的クリアファイル、詳しくはＡ４版等の基本大きさのクリアファイルより目的に沿った各種の大きさのクリアファイルを切り抜き形成し得るようにしたクリアファイルに関するものある。
【背景技術】
【０００２】
この種のクリアファイルとしては実用新案登録第３１１５７１０号公報がある。該公報は綴じ袋状にしたものの上部に長方形などの抜型をして持ち歩ける袋とし、これにミシン目や切り込みを入れて切り離してクリアファイルとして使用できるようにしたということを記載している。
【特許文献１】登録実用新案第３１１５７１０号公報
【発明の開示】
【発明が解決しようとする課題】
【０００３】
しかしながら、該公報は持ち歩ける袋から１種類の大きさのみのクリアファイルが切り離し得られるにとどまっていて、いろいろなサイズのクリアファイルを得ることができないという課題がある。
【課題を解決するための手段】
【０００４】
本発明は、Ａ４版の大きさに対応するクリアファイルにＢ５版の大きさを含む大小数種のクリアファイルを切り抜き形成することのできる縦横の切れ目を数段において設けて、上記した課題を解決するようにしたのである。
【発明の効果】
【０００５】
本発明は、１枚のＡ４版のクリアファイルを求めることで、Ｂ５版、はがきなど目的の大きさに対応するクリアファイルを切り抜き形成して使用することができるという効果を生ずる。
【０００６】
はがき、印紙などをそれぞれに対応したクリアファイルに挟み収めすることで出し入れがしやすく、バラバラになって紛失したりすることが生じないという効果を生ずる。
【０００７】
縦横の切れ目の中間を迂回させて文字，図形等の記入枠を設けることで従来にない広告など訴求力のあるクリアファイルにすることができるという効果を生ずる。
【０００８】
クリアファイルの縦と下横の折目の内側に折り罫を入れることで各クリアファイルをマチ付きにすることができるという効果を生ずる。
【図面の簡単な説明】
【０００９】
【図１】第１実施例の正面図
【図２】同、Ｂ５版のクリアファイルを切り抜き形成した状態を示す正面図
【図３】同、はがきのクリアファイルを切り抜き形成した状態を示す正面図
【図４】同、収入印紙，切手のクリアファイルを切り抜き形成した状態を示す正面図
【図５】第２実施例のクリアファイルを示す正面図
【図６】第３実施例を示し、（ａ）は正面図、（ｂ）ははがき等を挟み収納した状態を示す断面図
【図７】第４実施例の正面図
【発明を実施するための形態】
【００１０】
本発明はＡ４版の大きさのクリアファイルにＢ５版の大きさのクリアファイルを含む大小数種のクリアファイルを切り抜き形成することのできる縦横の切れ目を数段において設けて、クリアファイルの購買者がクリアファイルをＡ４版からＢ５版の大きさに変えたい時はＢ５版の切れ目から切り抜いてＢ５版のクリアファイルにする。このようにして目的に沿ってはがきの大きさ、収入印紙，切手の大きさなどのクリアファイルに切り抜いてはがき、収入印紙等を各別に揃えて挟み入れるようにする。
【実施例１】
【００１１】
図１乃至図４は本発明の第１実施例であって、ポリプロピレン（ＰＰ）、ポリエチレンテレフタレート（ＰＥＴ）などの硬直なシートの折り合わせにて表裏のシート１x，１ｙからなるＡ４版の大きさのクリアファイル１を形成する。２はその縦折目、３は横折目（溶着部）、４，５は対向する縦横の開閉端である。
【００１２】
本発明はＡ４版の大きさのクリアファイル１の開閉端４，５に並行して例えばＢ５版の大きさの切れ目６のほか、はがきの大きさの切れ目７、収入印紙，切手の大きさの切れ目８を設けて、クリアファイル１を購買等した所有者がこのクリアファイル１を都合でＢ５版の大きさに変更したいときはＢ５版の大きさの切れ目６を用いてクリアファイル１を切り抜くのである。クリアファイル１はＢ５版のクリアファイル１ａとなって変更が達成される。
【００１３】
同様にしてはがきの大きさのクリアファイル１ｂ，収入印紙・切手の大きさのクリアファイル１ｃが形成されることで、各別に揃えて挟み閉じすることができることとなる。Ｂ５版の大きさのクリアファイル１ａに変えてからはがきまたは印紙のクリアファイル１ｂ，１ｃに切り抜くこともできる。
なお、切れ目６，７，８は表裏のシート１ｘ，１ｙに合わせて形成し、表裏のシート１ｘ，１ｙがともに切り抜かれるようにする。
【実施例２】
【００１４】
図５は本発明の第２実施例であって、各切れ目６，７，８の中間に迂回部ａを設けて文字，図形，広告等の記入枠ｂが得られるようにする。クリアファイル１ａ，１ｂ，１ｃは文字，図形，広告等によって訴求力のあるものとなり、バラエティー豊かなものとなる。その他の構成と作用は第１実施例と同じである。
【実施例３】
【００１５】
図６は本発明の第３実施例であって、クリアファイル１，１ａ，１ｂ，１ｃの縦と横の折目２，３の内側中間に折り罫ｃを入れて、クリアファイル１，１ａ，１ｂ，１ｃそれぞれのクリアファイルをマチ入りとするのである。その他の構成と作用は第１、第２実施例と同じである。
【００１６】
図７は本発明の第４実施例であって、Ｂ５版の大きさ、はがきの大きさ、収入印紙の大きさの各クリアファイル１ａ，１ｂ，１ｃの形成用の切れ目を動物，マンガキャラクターなど様々な形状としたものである。区別のつきやすい個性的なクリアファイルとして使用することができることになる。その他の構成と作用は第１、第２実施例と同じである。
【産業上の利用可能性】
【００１７】
本発明は１枚のクリアファイルを所有することでＢ５版のほか、はがき，収入印紙，切手などを各別に揃えて挟み閉じする大小のクリアファイルに自由に切り抜き変更することができることで広く利用されることとなる。
【符号の説明】
【００１８】
１，１ａ，１ｂ，１ｃはクリアファイル
１ｘ，１ｙは表裏のシート
２は縦の折目
３は横の折目
４は上部の開閉端
５は側部の開閉端
６，７，８は切れ目
ａは迂回部
ｂは記入枠
ｃは折り罫
【図１】
2017030213.tif 000003
【図２】
2017030213.tif 000004
【図３】
2017030213.tif 000005
【図４】
2017030213.tif 000006
【図５】
2017030213.tif 000007
【図６】
2017030213.tif 000008
【図７】
2017030213.tif 000009